(57)【要約】    【課題】  本発明では、遊技機を操作するために繰り返し使用されても押しボタンスイッチ本来の強度を保ち、破損等によるスイッチの性能低下を防止し、外部からの不正行為に対して耐えうる構造を持つ押しボタンスイッチとすることを目的とする。  【解決手段】  操作部材２１の外周部における係合爪４１を除いた部位に、スイッチケース２０に対して周方向についての相対動作が拘束されるとともに、軸方向についての相対動作が許容され、上記操作部材２１が案内される被案内部４２を設け、上記スイッチケース２０の内周部における上記被案内部４２に対応する部位に、上記被案内部４２を接した状態で案内する案内部３２を設けるとともに、不正に上記操作部材２１が取り外されることを防止する操作部材取り外し防止部材４４、６８を備えたことを特徴とする遊技機のスイッチ装置１０、１１。  【選択図】    図２
2005118448.tif 000002
【特許請求の範囲】
【請求項１】
遊技機に取り付けられるスイッチケース内に、オン・オフ操作時に可動する操作部材を、該操作部材に設けた係合爪を用いて上記スイッチケースから軸方向に抜け出さないように該スイッチケースに係合して一体に構成した遊技機のスイッチ装置であって、
上記操作部材の外周部における上記係合爪を除いた部位に、上記スイッチケースに対して周方向についての相対動作が拘束されるとともに、軸方向についての相対動作が許容され、上記操作部材が案内される被案内部を設け、
上記スイッチケースの内周部における上記被案内部に対応する部位に、上記被案内部を接した状態で案内する案内部を設けたことを特徴とする
遊技機のスイッチ装置。
【請求項２】
遊技機に取り付けられるスイッチケース内に、オン・オフ操作時に可動する操作部材を、該操作部材に設けた係合爪を用いて上記スイッチケースから軸方向に抜け出さないように該スイッチケースに係合して一体に構成した遊技機のスイッチ装置であって、
上記係合爪の係合が解除されるとき、上記係合爪と接触する部位に、該係合が解除されることを阻害し、上記操作部材が取り外されることを防止する操作部材取り外し防止部材を配置したことを特徴とする
遊技機のスイッチ装置。
【請求項３】
前記操作部材取り外し防止部材を、前記オン・オフ操作時に操作されたことを検知する制御を行う制御基板に設定したことを特徴とする
請求項２に記載の遊技機のスイッチ装置。
【発明の詳細な説明】
【技術分野】
【０００１】
本発明は、遊技機の操作を行なうための押しボタン式スイッチに関するものである。
【背景技術】
【０００２】
従来の押しボタンスイッチは、先行技術１（特許文献１参照）の図１１のように操作部材がスイッチケースから抜けないように係合爪がついている。その係合爪は、スイッチの組立時にたわむ必要があるので、細長い形状となる。操作部材が動作するとスイッチケースと係合爪が摺動し、係合爪の表面が摩耗して強度が落ち、やがて破断することがあった。また、スイッチ形状が、円形や楕円形状の場合、操作部材が回転し、係合爪の側面が、スイッチケースの内部に衝突することがあるため、破断する不具合が生じた。
また、係合爪がたわむと、操作部材を外すことができるので、操作部材をマイナスドライバなどの工具を用いてこじ開け、不正行為ができてしまうことがあった。しかし、従来、押しボタンスイッチの操作部材を取り外す不正行為の対策はなされてなかった。
【０００３】
【特許文献１】特開平８−２９８０４２号公報（図１１参照）
【発明の開示】
【発明が解決しようとする課題】
【０００４】
そこで本発明では、遊技機を操作するために繰り返し使用されても押しボタンスイッチ本来の強度を保ち、破損等によるスイッチの性能低下を防止し、外部からの不正行為に対して耐えうる構造を持つ押しボタンスイッチとすることを目的とする。
【課題を解決するための手段】
【０００５】
本発明は、遊技機に取り付けられるスイッチケース内に、オン・オフ操作時に可動する操作部材を、該操作部材に設けた係合爪を用いて上記スイッチケースから軸方向に抜け出さないように該スイッチケースに取り付けて一体に構成した装置であって、上記操作部材の外周部における上記係合爪を除いた部位に、上記スイッチケースに対して周方向についての相対動作が拘束されるとともに、軸方向についての相対動作が許容され、上記操作部材が案内される被案内部を設け、上記スイッチケースの内周部における上記被案内部に対応する部位に、上記被案内部に接した状態で案内する案内部を設けた遊技機のスイッチ装置であることを特徴とする。
【０００６】
上記係合爪は、スイッチケースに対して係合のし易さを優先させて構成している分、例えば撓みやすく形成している。よって、摩耗すると破損し易い。
【０００７】
このため、被案内凸部を係合爪が位置する部位を隔てた両側に形成すると、周方向に摺動して摩耗してしまうことがない。特に、上記スイッチケースと上記係合爪とが直接接触しないように予め間隙を備えて形成しておけば、オン・オフ操作したときにも軸方向の摺動に対しての摩耗も完全に防ぐことができる。
【０００８】
また、本発明のスイッチ装置は、上記係合爪の係合が解除されるとき、上記係合爪と接触する部位に、該係合が解除されることを阻害し、上記操作部材が取り外されることを防止する操作部材取り外し防止部材を配置する構成としてもよい。
【０００９】
上記操作部材取り外し防止部材として、上記係合爪と接触する部位に別途部材を設けてもよいが、例えば、上記操作部材取り外し防止部材にスイッチ装置の裏面を閉口するための裏蓋を用いる、あるいは、前記操作部材取り外し防止部材を、前記オン・オフ操作時に操作されたことを検知する制御を行う制御基板に設定してもよい。
【発明の効果】
【００１０】
この発明によれば、操作部材における被案内凸部と、スイッチケースにおける案内凹部とを嵌め合わせて一体に取り付けることで、係合爪が摩耗して強度が落ち、やがて破損するといった問題を解決することができる。
【００１１】
また、係合爪の内側へのたわみを抑える操作部材取り外し防止部材を配置することで、操作部材が不正に取り外されようとすることを防ぐことができる。
【００１２】
さらに、上記操作部材取り外し防止部材を基板、あるいはスイッチ装置の裏蓋に設定すれば、あらたに操作部材取り外し防止部材を設ける必要がないため、コストを低減することができる。
【発明を実施するための最良の形態】
【００１３】
本発明の一実施形態を、以下図面を用いて説明する。  
本発明のスイッチ装置１０は、図１に示すごとく外観構成をし、例えば遊技機として代表的なスロットマシンにおいて、遊技する際、メダルを賭けるとき等に操作するものであり、通常スロットマシンに螺合により設置されている（図示せず）。
【００１４】
上記スイッチ装置１０の構成は、図２に示すごとく、大別すると遊技機に固定されるスイッチケース２０と、オン・オフ操作時に可動する操作部材２１と、該オン・オフ操作を検知する制御基板２２とその他、スプリング２５、及び裏蓋２６とで構成される。
【００１５】
まず、上記制御基板２２について説明する。制御基板２２は、平面視矩形をした基板４４を備え、該基板４４の４隅を切り欠いた隅部切り欠き部４４ａ、及び、基板４４における一方の対向辺における中間部を切り欠いた中間部切り欠き部４４ｂを形成している。
【００１６】
さらに上記基板４４には、合成樹脂部材で構成したハウジング部材４５が取り付けられているが、上記投光器、上記受光器、発光器５３、及び抵抗器をそれぞれハウジングした状態で基板４４に取り付いている。
【００１７】
なお、制御基板２２には、基板４４の中間部において、上記ハウジング部材４５を取り付けた側と反対側における裏面側にソケット部材４６を構成している。
【００１８】
次に、上記スイッチケース２０の構成は、胴部２３と鍔部２４とから成り、該鍔部２４は、該胴部２３の上端部に、スロットマシンに取り付けたとき、スロットマシンの表面に現れるよう、段部２０ａを介して構成している。また、上記胴部２３は、外形形状が筒状であり、下面視すると（下方から底面を上方向に視ると）、円弧状を対向させてその端部どうしを直線で結んで構成した形状で形成している。
【００１９】
さらに、上記胴部２３における鍔部２４の上記円弧状部位に相当する部位には、上端部から中間部にかけてスロットマシンに取り付けるための螺合雄部２０ｂを形成している。
【００２０】
さらに、図３に示すごとく、上記胴部２３の内周部における上記鍔部２４の長軸両端部に対する各部位には、外方向に突形に窪んだ案内凹部３２を胴部２３の上端部から下部にかけて合計４つ形成している。なお、図３は、スイッチケース２０に操作部材２１を取り付けたときのスイッチ装置１０の上下方向の略中間部位における断面図を表すが、操作部材２１については、後述詳説する。
【００２１】
また、図４に示すごとく、胴部２３における上下方向の中間相当部の内部中央部には、スプリング２５を起立状態で載置するための載置部２７を構成している。上記載置部２７の中央部には、後述する発光器５３（発光ダイオード）が挿し込み可能な円形に形成して、該円形を上記鍔部２４の短軸方向における一方の側に向けて切り欠いた平面視鍵穴形状の挿通孔２７ａを構成している。
【００２２】
また、スイッチケース２０の内壁面２０ｃには、制御基板２２を裏面から取り付けたとき、該制御基板２２の上下方向の位置を固定するための基板上面位置決め部６１を基板４４の隅部の切り欠き部４４ａの縁部に相当する部位に合計４部位に形成している。
【００２３】
さらに、上記各基板上面位置決め部６１には、下方に０．５ｍｍ程度、突き出した上下方向衝撃緩和用突起部６２を２つづつ形成し、スイッチケース２０全体で合計８つ形成している。
【００２４】
なお、上記上下方向衝撃緩和用突起部６２は、例えば、上記４つの基板上面位置決め部６１の中央部に１つづつ形成するなど、基板４４の隅部を少なくとも３点で支持して衝撃を緩衝可能に形成していればよい。
【００２５】
加えて、スイッチケース内壁面２０ｃにおける上記各基板上面位置決め部６１の中央部近傍にも、中心軸方向に０．５ｍｍ程度、平面方向に突き出した平面方向振動防止用突起部６３をそれぞれ形成し、スイッチケース２０全体で合計４つ形成している。
【００２６】
次に、上記操作部材２１について説明する。上記操作部材２１は、内筒部材３３、レンズ３６、及び拡散シート３７から成り、上記内筒部材３３の上部には、上方から赤色透明色をしたレンズ３６を、楕円形をして発光器５３が発光した光を拡散させる拡散シート３７を介して嵌め込み可能に形成している（図２参照）。
【００２７】
上記内筒部材３３については、図５に示すごとく、円筒状をした胴部３４と、該胴部３４の上端部に位置する平面視楕円形の鍔部３５とから構成している。さらに、上記内筒部材３３の内部には、上記鍔部３５上端部から胴部２３中間部にかけて中心軸で突き出したすり鉢状の面３８を構成し、該すり鉢状の面３８の下端部は、平面視円形の貫通孔３８ａを形成している。
【００２８】
さらに、上記貫通孔３８ａの縁部裏面における鍔部３５の短軸方向における一方の側に相当する部位には、下方に突き出した遮光片３９を形成している（図３、図８参照）。
【００２９】
また、上記胴部３４の下端部における鍔部３５の長軸両端部に相当する部位には、当該操作部材２１を上記スイッチケース２０に取り付けるためのストッパ４１を互いに対向させた状態で形成している。上記ストッパ４１は、ともに下方に突き出した板状のアーム部４１ａと該アーム部４１ａの先端部に位置する外側に突き出したフック部４１ｂとから構成される。さらに上記ストッパ４１の胴部３４における周方向の両側には、該ストッパ４１をよりたわみ易くするためのスリット４１ｃを上下方向に形成している。
【００３０】
また、上記各ストッパ４１に対して周方向におけるさらに両側であって、当該操作部材２１を上記スイッチケース２０に嵌め込んだとき、スイッチケース２０の案内凹部３２に対応する部位には、胴部３４の上下方向にかけて外側に突き出した被案内凸部４２を形成している（図３参照）。  
なお、上記被案内凸部４２は、その先端部の成す角が上記案内凹部３２の先端部の成す角以上に形成している。
【００３１】
また、スイッチ装置１０の裏面を閉口するために裏蓋２６が取り付けられるが、図６に示すごとく、裏蓋２６は、中間部位に矩形をした開口部２６ａを形成している。さらに、上記裏蓋２６をスイッチ装置１０に取り付けたとき、裏蓋２６の上側（裏側）に位置する上面２６ｂにおける外周部には、嵌め込み用突部２６ｃが上方向に突き出している。
【００３２】
図７、８に示すごとく、上述した各部材を一体とするとスイッチ装置１０は構成することができる。なお、図７は、スイッチ装置１０の長軸相当部位における上下方向の断面図を表し、図８は、スイッチ装置１０の長軸相当部位における遮光片が位置する部位の上下方向の断面図を表す。  
上記構成を採る各部材を用いてスイッチ装置１０を組み立てる組み立て手順について説明を行う。
【００３３】
まず、スイッチケース２０における載置部２７にスプリング２５を載置する。そして、操作部材２１を上記スイッチケース２０の周方向に一致させて、上方から挿し込む。ここで操作部材２１におけるストッパ４１のアーム部４１ａは、フック部４１ｂがスイッチケース２０に嵌めこむ際にスイッチケース２０の内周面２０ｃに当接することで内側にたわみ変形した状態で挿し込まれていき、操作部材２１のフック部４１ｂは、スイッチケース２０の係合段部２０ｄまで達すると、図７に示すごとく、たわみ変形していたアーム部４１ａが復元するとともに係合される。上述のように操作部材２１をスイッチケース２０に挿し込めば、内筒部材３３における胴部３４内部には、載置部２７上に載置したスプリング２５が内包された状態で挿し込むことができる。
【００３４】
一方、図７に示すごとく、制御基板２２における発光器５３は、載置部２７の挿通孔２７ａに挿し込まれた状態で、スプリング２５に内包され、すり鉢状面３８の貫通孔３８ａから上方向に突き出した状態となる。
【００３５】
しかも、図８に示すごとく、操作部材２１は、スイッチケース２０に対して操作部材２１を下方に動作させたとき、操作部材２１における遮光片３９が、スプリング２５の内部、載置部２７の中心部に位置する挿通孔２７ａに挿通されるような位置関係で挿し込まれている。
【００３６】
このように上記案内凹部３２に被案内凸部４２が嵌合することにより、該上記案内凹部３２は、上記スイッチケース２０に対して周方向についての相対動作が規制されるとともに、上下方向についての相対動作のみが許容するように被案内凸部４２を案内するため、上記操作部材２１は、上下方向にのみ可動することができる（図３参照）。
【００３７】
また、制御基板２２は、基板４４に対してハウジング部材４５を上方に位置させるとともに、ソケット部材４６を下方に位置させた状態で、且つ、上記載置部２７の挿通孔２７ａにおける切り込み部がハウジング部材４５における溝部空間４７に対応するように位置させた状態でスイッチケース２０の裏面から上方に挿し込む。
【００３８】
このように制御基板２２を上方に挿し込んでいくと、制御基板２２の隅部の上端部は、上記スイッチケース２０の内壁面２０ｃに形成した基板上面位置決め部６１の上下方向衝撃緩和用突起部６２に当接する（図８参照）。
【００３９】
そして、スイッチ装置１０は、裏蓋２６でスイッチケース２０の下端部を閉口すれば、開口部２６ａからソケット部材４６が突き出した状態で嵌め込むことができる。しかも、裏蓋２６の上面２６ｂが制御基板２２の隅部の下端部に当接して位置決めすることができる。
【００４０】
以上により、遊技機に固定されるスイッチケース２０に対してオン・オフ操作時に相対可動する操作部材２１に形成した遮光片３９を用いて、上記略凹字形の溝部空間４７における光軸を遮光することにより、上記オン・オフ操作を検知することができるとともに、該検知した信号をもとに発光している発光器５３を消灯させることができる。
【００４１】
上記構成を採るスイッチ装置１０は、上述のように構成される。特に、例えば利用者がレンズ３６を激しく押圧しても、被案内凸部４２は案内凹部３２によって案内されることで周方向について操作部材が、スイッチケース２０に対して相対的に回動しない。
【００４２】
すなわち、操作部材２１におけるストッパ４１をたわみ易い板状に形成しても、周方向においては、スイッチケース内壁面２０ｃに対して該ストッパ４１が摺動することがないため、摩耗して破損してしまうことを防止することができる。
【００４３】
さらに、操作部材２１をスイッチケース２０に嵌め込んだとき、ストッパ４１は、スイッチケース内壁面２０ｃに対して隙間６４が生じるように、被案内凸部４２が案内凹部３２に嵌め込まれるようにそれぞれ被案内凸部４２と案内凹部３２とを構成しているため（図３参照）、操作部材２１がスイッチケース２０に対して上下方向に動作しても、ストッパ４１は、スイッチケース内壁面２０ｃに接触することがなく、上述と同様にストッパ４１が破損してしまうことを防止することができる。  
以上により、操作部材２１は、スイッチ装置１０の利用者がレンズ３６を激しく押圧しても破損してしまうことがない。
【００４４】
また、上記上下方向衝撃緩和用突起部６２を形成することで、スイッチケース内壁面２０ｃにおける上述した各部位に基板４４を取り付けたスイッチ装置１０は、利用者がレンズ３６を激しく押圧しても、基板４４上端面については、基板上面位置決め部６１における８つの上下方向衝撃緩和用突起部６２のうちの任意の複数点が基板４４に当接するとともに、基板４４下端部については、裏蓋２６の嵌め込み用突起２６ｃが当接して、上下方向について基板４４を位置決めすることにより、衝撃の伝達を緩和し、基板上の素子の破損を防ぐことができる（図８参照）。
【００４５】
さらに、図９に示すごとく、平面方向については、平面方向振動防止用突起部６３が基板４４の隅部切り欠き部４４ａと当接することで水平方向に位置決めすることができる。これにより、基板４４の水平方向の振動を防止し、基板上の素子の破損を防ぐことができる。  
また、上述した各部を一体としてスイッチ装置１０を組み立てたとき、制御装置２２をスイッチ装置１０の中心軸を隔てて対向するフック部４１ｂの間に位置するような取り付け形態とすることにより（図７参照）、例えば、マイナスドライバを用いて、不正にフック部４１ｂのスイッチケースの係合段部２０ｄへの係合を解除する方向にアーム部４１ａをたわませようと試みても、フック部４１ｂが基板４４に当接することにより、操作部材２１をスイッチケース２０から取り外すことを阻害することができる。
【００４６】
また、他の実施形態として、上記操作部材２１における上記被案内凸部４２を形成した部位に、内側に凹んだ被案内凹部を形成するとともに、上記スイッチケース２０における上記案内凹部３２を形成した部位に、内側（中心軸方向）に突き出して上記被案内凹部を案内する案内凸部を形成する構成としてもよい。
【００４７】
さらに、他の実施形態として図１０に示すごとく、制御基板２２における基板６５を小さく形成した場合は、上述するように不正にアーム部４１ａをたわましたとき、フック部４１ｂを基板６５に当接することができない。しかし、このような場合においては、例えば、スイッチ装置１１を組み立てたとき、裏蓋６８の外周部に形成した嵌め込み用突部２６ｄ（図６参照）を基板４４の外周部に位置するような長さに形成するとよい。
【００４８】
スイッチ装置１１が上記構成を採れば、アーム部４１ａを不正にたわませようとしても、フック部４１ｂは、上記長く形成した嵌め込み用突部６８ａに当接するため、該フック部４１ｂがスイッチケース２０からの係合を解除することを阻害することができる。  
上述の実施形態と、この発明の構成との対応において、この実施形態のストッパ４１は、この発明の係合爪に対応し、
被案内凸部４２は、被案内部に対応し、
案内凹部３２は、案内部に対応し、
基板４４、又は裏蓋６８は、操作部材取り外し防止部材に対応するも、この発明は、上述の実施形態の構成のみに限定されるものではなく、多くの実施の形態を得ることができる。
【図面の簡単な説明】
【００４９】
【図１】本発明のスイッチ装置を表す外観図。
【図２】本発明のスイッチ装置の各構成部材を表す外観図。
【図３】スイッチケースに操作部材を取り付けた状態を表す断面図。
【図４】スイッチケースの底面図。
【図５】内筒部材を表す外観図。
【図６】スイッチ装置の裏蓋を表す外観図。
【図７】スイッチ装置を表す断面図。
【図８】スイッチ装置を表す他の断面図。
【図９】スイッチケースに基板を取り付けた状態を要部拡大して表した底面図。
【図１０】他のスイッチ装置を表す断面図。
【符号の説明】
【００５０】
１０、１１…スイッチ装置
２０…スイッチケース
２１…操作部材
４５…ハウジング部材
３２…案内凹部
４１…ストッパ
４２…被案内凸部
４４…基板
２６、６８…裏蓋
【図１】
2005118448.tif 000003
【図２】
2005118448.tif 000004
【図３】
2005118448.tif 000005
【図４】
2005118448.tif 000006
【図５】
2005118448.tif 000007
【図６】
2005118448.tif 000008
【図７】
2005118448.tif 000009
【図８】
2005118448.tif 000010
【図９】
2005118448.tif 000011
【図１０】
2005118448.tif 000012